(57)【要約】【課題】ロッカー使用者の身長差による影響を抑制し、使用者にとって使い勝手のよいロッカー装置を提供する。【解決手段】衣類等を収容する収容スペース（ロッカー本体内）１３にフック付きフレーム（中間部材）２０を備え、このフック付きフレーム２０は収容スペース１３内への取付け高さを変更可能に構成されており、このフック付きフレーム２０に第１のフック（引っ掛け具）２４および第２のフック（引っ掛け具）２７を配置した。【選択図】図４
2019041866.tif 000002
【特許請求の範囲】
【請求項１】
衣類等を収容するロッカー本体内に中間部材を備え、この中間部材は前記ロッカー本体内への取付け高さを変更可能に構成されており、この中間部材に衣類等の引っ掛け具を配置したことを特徴とするロッカー装置。
【請求項２】
前記中間部材は一対の側部材を備え、一対の側部材に前記引っ掛け具を配置したことを特徴とする請求項１に記載のロッカー装置。
【請求項３】
前記中間部材は一対の側部材の各先端を連結する先端部材を備え、一対の側部材は、前記先端部材の下面より下方に張り出す張り出し部を備えることを特徴とする請求項１又は２に記載のロッカー装置。
【請求項４】
前記先端部材はレール部を備え、このレール部にスライド可能なプレートを配置したことを特徴とする請求項３に記載のロッカー装置。
【請求項５】
前記先端部材の下面に、一対の側部材に設けたダボが嵌るダボ受け溝を設けたことを特徴とする請求項３又は４に記載のロッカー装置。
【発明の詳細な説明】
【技術分野】
【０００１】
本発明は、ロッカー装置に関する。
【背景技術】
【０００２】
従来、縦方向に長い収容スペースを備え、この収容スペースに衣類を掛けるフックを設けたロッカー装置が知られている。この種のロッカー装置では、フックが予め決められた所定の高さに固定される（例えば、特許文献１参照）。
このフックに、衣類を掛けたハンガーを掛けることにより、衣類がロッカー装置に収容される。
【先行技術文献】
【特許文献】
【０００３】
【特許文献１】特開２００６−１２９９１９号公報
【発明の概要】
【発明が解決しようとする課題】
【０００４】
しかしながら、フックを所定の高さに固定する場合には、このフックの高さに適合する身長の使用者にとっては使い勝手の良いロッカー装置となる反面、フックの高さに適合しない身長の使用者にとっては、必ずしも使い勝手の良いロッカー装置とならないおそれがある。これは、例えば、幼稚園や保育園に通う子供がロッカー装置を使用する場合のように、ロッカー装置の使用者に身長差があることが想定される場合に顕著に妥当する。
本発明は、上述した事情に鑑みてなされたものであり、ロッカー使用者の身長差による影響を抑制し、使用者にとって使い勝手のよいロッカー装置を提供することを目的とする。
【課題を解決するための手段】
【０００５】
上記目的を達成するために、第１の発明におけるロッカー装置は、衣類等を収容するロッカー本体内に中間部材を備え、この中間部材は前記ロッカー本体内への取付け高さを変更可能に構成されており、この中間部材に衣類等の引っ掛け具を配置したことを特徴とする。
【０００６】
また、第２の発明におけるロッカー装置は、第１の発明におけるロッカー装置において、前記中間部材は一対の側部材を備え、一対の側部材に前記引っ掛け具を配置したことを特徴とする。
【０００７】
また、第３の発明におけるロッカー装置は、第１の発明または第２の発明におけるロッカー装置において、前記中間部材は一対の側部材の各先端を連結する先端部材を備え、一対の側部材は、前記先端部材の下面より下方に張り出す張り出し部を備えることを特徴とする。
【０００８】
また、第４の発明におけるロッカー装置は、第３の発明におけるロッカー装置において、前記先端部材はレール部を備え、このレール部にスライド可能なプレートを配置したことを特徴とする。
【０００９】
また、第５の発明におけるロッカー装置は、第３の発明または第４の発明におけるロッカー装置において、前記先端部材の下面に、一対の側部材に設けたダボが嵌るダボ受け溝を設けたことを特徴とする。
【発明の効果】
【００１０】
本発明によれば、ロッカー本体内への取付け高さを変更可能である中間部材に設けた衣類の引っ掛け具により、ロッカー使用者の身長差による影響を抑制し、使用者にとって使い勝手のよいロッカー装置を提供できる。
【図面の簡単な説明】
【００１１】
【図１】ロッカー装置の斜視図である。
【図２】フック付きフレームの斜視図である。
【図３】収容スペースにフック付きフレームを配置した状態における収容スペースの斜視図である。
【図４】フック付きフレームの底面図である。
【図５】フック付きフレームの正面図である。
【図６】フック付きフレームの側面図である。
【発明を実施するための形態】
【００１２】
以下、図面を参照して本発明の実施形態について説明する。
図１は、本実施の形態に係るロッカー装置１の斜視図である。図１におけるロッカー装置１の正面視を基準として、右側を右、左側を左、上側を上、下側を下、奥側を後、前側を前、と定義する。また、ロッカー装置１における前後の方向を前後方向とし、ロッカー装置１における左右の方向を左右方向とし、ロッカー装置１における上下の方向を高さ方向と定義する。
【００１３】
ロッカー装置１は、天板３と、右側板５と、左側板７と、底板８と、背板９と、を備える。また、ロッカー装置１は、これら天板３、右側板５、左側板７、底板８、および背板９に囲まれ、前方に開口する収容室（ロッカー本体内）１０を備える。
収容室１０は、高さ方向に延びる仕切板１１により、縦方向に長い収容スペース（ロッカー本体内）１３に区切られている。本実施の形態に係るロッカー装置１の収容室１０は、２枚の仕切板１１により仕切られており、左右方向に隣り合う３つの収容スペース１３を備える。
【００１４】
右側板５の内面部、左側板７の内面部、仕切板１１、１１の両面部には、高さ方向に所定の間隔を備えて複数のダボ穴１６を備える。複数のダボ穴１６は、右側板５、左側板７、仕切板１１の前後方向の端部に、縦一列に備える。また、これらダボ穴１６とダボ穴１６との間には、略均等な間隔が設けられている。
ダボ穴１６には、ダボ穴１６の形状に沿ったダボ１６ａ（図３参照。）が嵌め込み可能である。収容スペース１３の下部には、ダボ穴１６に嵌め込まれたダボ１６ａに支持された棚板１７が配置されている。本実施の形態において、棚板１７は、収容スペース１３の下部に間隔を空けて２枚配置されている。
収容スペース１３の上部には、ダボ１６ａに支持されたフック付きフレーム（中間部材）２０が配置されている。
【００１５】
図２は、フック付きフレーム２０の斜視図である。図３は、収容スペース１３にフック付きフレーム２０を配置した状態における収容スペース１３の斜視図である。図４は、フック付きフレーム２０の底面図である。図５は、フック付きフレーム２０の正面図である。図６は、フック付きフレーム２０の側面図である。
図２および図４に示すように、フック付きフレーム２０は、一対の側部材２１，２１を備える。この一対の側部材２１，２１は、略平坦に形成される外面２２と、略平坦に形成される内面２３と、を備える。
フック付きフレーム２０を収容スペース１３に配置する際に、外面２２は、右側板５、左側板７、仕切板１１のいずれかに当接する。
【００１６】
一対の側部材２１，２１のそれぞれの内面２３は、ポール（連結部材）２５により連結されている。このポール２５は、例えばハンガー等の物を掛けることが想定され、後述のように、フック付きフレーム２０を収容スペース１３から取り出す際には、フック付きフレーム２０の取っ手となる。
本実施の形態においてポール２５は、円柱型に形成されている。もっとも、ポール２５の形状は、この形状に限るものではなく、例えばハンガー等の物を掛けることができる形状であればよい。
【００１７】
フック付きフレーム２０は、先端バー（先端部材）３０を備える。この先端バー３０は、一対の側部材２１，２１の各先端２６を連結する。
本実施の形態において、先端バー３０の両端は、一対の側部材２１，２１の各先端２６に当接するようにして、一対の側部材２１，２１を連結している。
この先端バー３０は、図５に示すように、一対の側部材２１，２１の高さ方向の上部に接合される。一対の側部材２１，２１は、先端バー３０の下面３０ａより下方に張り出す張り出し部２１ｂ，２１ｂを備える。
【００１８】
先端バー３０は、図５および図６に示すように、前面にレール部３６を備える。レール部３６には、レール部３６を横方向にスライド可能なプレート４０が配置される。プレート４０は、透明板により形成されている。
レール部３６は、プレート４０が配置されるスライド部３７と、スライド部３７に配置されたプレート４０の上部を支持する上支持部３８と、プレート４０の下部を支持する下支持部３９と、を備える。スライド部３７とプレート４０との間には、例えば、ロッカー装置１の使用者名を記載したネームカードを配置可能である。
【００１９】
一対の側部材２１，２１の各内面２３には、図４に示すように、一対の第１のフック（引っ掛け具）２４と、一対の第２のフック（引っ掛け具）２７とが、備えられている。第１のフック２４および第２のフック２７は、内面２３からフック付きフレーム２０の内側に向かって延びている。
一対の第１のフック２４は、先端バー３０とポール（連結部材）２５との間に配置されている。一対の第２のフック２７は、ポール２５よりも後方に配置されている。
【００２０】
第１のフック２４および第２のフック２７は、例えばハンガー等の物を掛けることが想定されている。本実施の形態に係る第１のフック２４および第２のフック２７は、同じ形態であり、キノコ型に形成されており、本体２８と、先端部２９と、を備える。本体２８は、先端部２９に向けてテーパ状に形成されている。もっとも、第１のフック２４および第２のフック２７の形状は、この形状に限るものではなく、例えばハンガー等の物を掛けることができる形状であればよい。
【００２１】
第１のフック２４とポール２５との間、および、第２のフック２７とポール２５との間には、所定の間隔が設けられる。所定の間隔とは、第１のフック２４およびポール２５が、ともに例えばハンガー等の物を掛けることが想定されていることから、これらの物が互いに接触しない程度の間隔であればよい。
本実施の形態に係るポール２５は、一対の側部材２１，２１の略中央部より手前に１箇所設けられている。ポール２５は、一対の側部材２１，２１を強固に連結する。なお、ポール２５は、複数備えていてもよい。
【００２２】
図３に示すように、第１のフック２４および第２のフック２７は、一対の側部材２１，２１の内面２３であって、ポール２５よりも下方に備えられる。
また、図３および図５に示すように、第１のフック２４および第２のフック２７は、一対の側部材２１，２１の内面２３であって、先端バー３０よりも下方に備えられる。
【００２３】
図４および図６に示すように、先端バー３０の下面には、左右方向の外側にダボ受け溝３１が備えられている。また、図６に示すように、一対の側部材２１，２１の後端下部は、段状に一段高く形成された段部３５を備える。段部３５の下面には、左右方向の外側にダボ受け溝３１が備えられている。これら両ダボ受け溝３１は、ダボ穴１６に設けられたダボ１６ａと係合するダボ受け溝３１である。先端バー３０の下面と段部３５の下面とは、略等しい高さに形成されている。ダボ受け溝３１の深さＡは、ダボ１６ａの半径寸法よりも深く形成されている。ダボ受け溝３１の深さＡは、ダボ１６ａの半径寸法よりも浅く形成してもよい。
【００２４】
＜フック付きフレーム２０の配置変更＞
フック付きフレーム２０の配置変更について説明する。
収容スペース１３にフック付きフレーム２０を配置する場合、まず、フック付きフレーム２０を配置したい任意の高さのダボ穴１６にダボ１６ａを嵌め込む。
次いで、ダボ１６ａにダボ受け溝３１を係合させることにより、フック付きフレーム２０を収容スペース１３の任意の高さに配置する。このとき、先端バー３０とポール２５との間には間隔が設けられていることから、フック付きフレーム２０の下側若しくは上側からポール２５を持つことができる。ポール２５を取っ手として用いることにより、容易にフック付きフレーム２０を、収容スペース１３に配置できる。
【００２５】
本実施形態によれば、フック付きフレーム２０が、一対の側部材２１，２１と、先端バー３０と、ポール２５とにより枠組み構成されているため、強度は十分であると共に、フレーム重量を軽減することができ、例えば片手のみでも容易にフック付きフレーム２０を収容スペース１３に配置可能となる。
【００２６】
フック付きフレーム２０を収容スペース１３から取外す場合、フック付きフレーム２０の下側若しくは上側からポール２５を掴むことによりフック付きフレーム２０を持ち上げる。このとき、フレーム重量が軽減されているため、ポール２５を取っ手として用いることにより、容易にフック付きフレーム２０を持ち上げることができる。
【００２７】
段部３５は、一対の側部材２１，２１の後端下部に、一段高く形成されている。また、先端バー３０の下面３０ａと段部３５の下面３５ａとは、略等しい高さに形成されている。すなわち、先端バー３０の下面３０ａおよび段部３５の下面３５ａは、一対の側部材２１，２１の下面２１ａよりも高い位置に設けられている。
そのため、ダボ１６ａとダボ受け溝３１との係合を解除するのみでは、フック付きフレーム２０は収容スペース１３内から引き出されない。
【００２８】
本実施形態によれば、ダボ１６ａとダボ受け溝３１との係合を解除し、さらにフック付きフレーム２０を上方に持ち上げ、一対の側部材２１，２１の張り出し部２１ｂが、ダボ１６ａよりも上位に持ち上げられた時点で、手前に引き出すことにより、フック付きフレーム２０を収容スペース１３から引き出すことができる。
手前のダボ受け溝３１が先端バー３０の下面３０ａに設けられているため、使用者は、一対の側部材２１，２１の張り出し部２１ｂが、ダボ１６ａよりも上位に持ち上げられたか否かを容易に目視により確認することができる。
【００２９】
ダボ１６ａとダボ受け溝３１との係合が解除されても直ちにフック付きフレーム２０が収容スペース１３から前方に外れることがないため、ロッカー装置１の使用者がフック付きフレーム２０を収容スペース１３から意図的に取外そうとしていない場合等に、不意にフック付きフレーム２０が取外れることを抑制できる。
例えば、幼稚園や保育園に通う子供がロッカー装置１を使用する場合など、より安全性を向上できる。
【００３０】
収容スペース１３から取外したフック付きフレーム２０の高さを変えて再び収容スペース１３に配置する場合、ダボ穴１６に嵌め込まれたダボ１６ａを異なる高さに設けられるダボ穴１６に嵌め込む。次いで、このダボ１６ａにダボ受け溝３１を係合させることにより、フック付きフレーム２０を収容スペース１３に配置する。
【００３１】
＜ネームカードの交換＞
ネームカードの交換について説明する。
スライド部３７とプレート４０との間にネームカードを設けた場合、このネームカードは交換が可能である。例えば、ロッカー装置１が幼稚園、保育園等に配置されて、園児用であった場合、ネームカードは適宜に交換される。
本実施形態では、フック付きフレーム２０は、図１に示すように、その先端バー３０の前面が、ロッカー装置１の右側板５、左側板７および仕切板１１の各前縁部よりも奥側に入った状態で、収容スペース１３に配置されている。
【００３２】
先端バー３０が、ロッカー装置１の前面より外に飛び出さないため、園児等が保護される。この状態において、ネームカードを交換する場合には、まず、フック付きフレーム２０のポール２５を掴み、フック付きフレーム２０を上方に持ち上げる。ダボ１６ａがダボ受け溝３１から外れ、さらにダボ１６ａが一対の側部材２１，２１の張り出し部２１ｂ，２１ｂと接触しない位置までフック付きフレーム２０を持ち上げたら、フック付きフレーム２０を手前に引く。先端バー３０がロッカー装置１の前面より外に位置するまでフック付きフレーム２０を収容スペース１３から引き出せば、プレート４０を左右方向にスライドさせることにより、ネームカードの交換が可能となる。
【００３３】
以上説明したように、本実施の形態に係るロッカー装置１は、衣類等を収容する収容スペース（ロッカー本体内）１３にフック付きフレーム（中間部材）２０を備え、このフック付きフレーム２０は収容スペース１３内への取付け高さを変更可能に構成されており、このフック付きフレーム２０に第１のフック（引っ掛け具）２４および第２のフック（引っ掛け具）２７を配置した。
これによれば、第１のフック２４および第２のフック２７の取付け高さを変更可能であるため、ロッカー使用者の身長差による影響を抑制し、使用者にとって使い勝手のよいロッカー装置１を提供できる。
【００３４】
また、本実施の形態によれば、フック付きフレーム２０は一対の側部材２１，２１を備え、一対の側部材２１，２１を円柱型のポール（連結部材）２５により連結した。
これによれば、ポール２５と取っ手として用いることができ、フック付きフレーム２０の下側若しくは上側からポール２５を持つことにより容易にフック付きフレーム２０の取り出しが可能となる。また、フック付きフレーム２０を収容スペース１３に配置している状態においては、ポール２５をハンガーフックとして使用できる。
このように、例えば、幼稚園や保育園に通う子供がロッカー装置を使用する場合や、車いすを使用しているロッカー使用者のように、教育の場や社会福祉の場など、ロッカー装置の使用者に身長差があることが想定される場合にも、本実施の形態に係るロッカー装置１によれば、ロッカー使用者の身長差による影響を抑制し、使用者にとって使い勝手のよいロッカー装置１を提供できる。
【００３５】
また、本実施の形態によれば、収容スペース１３に上下に間隔をあけて複数のダボ穴１６を設け、何れかのダボ穴１６に嵌め込んだダボ１６ａに収容スペース１３を載せて配置している。これによれば、フック付きフレーム２０を収容スペース１３内に容易に配置できるようになる。
【００３６】
また、本実施の形態によれば、フック付きフレーム２０にダボ１６ａの半径寸法よりも深いダボ受け溝３１を設けた。
これによれば、ダボ１６ａがダボ受け溝３１に深く係合することにより、フック付きフレーム２０の脱落を抑制できる。
【００３７】
また、本実施の形態によれば、フック付きフレーム２０は先端バー３０を備え、この先端バー３０はレール部３６を備え、このレール部３６にスライド可能なプレート４０を配置したことを特徴とする。
これによれば、レール部３６とプレート４０との間に、例えばロッカー装置１の使用者名を記載したネームカードを配置することができる。これにより、ロッカー装置１の使用者が目視しやすい高さにネームカードを備えたフック付きフレーム２０を配置することで、ロッカー使用者の身長に関わらず、ロッカー使用者が自らのロッカーを容易に認識することができる。例えば幼稚園や保育園などにおいてロッカー装置１を使用する場合に、子供が目視しやすい高さにネームカードを備えたフック付きフレーム２０を配置することにより、子供の身長差に関わらず、子供が自らのロッカーを容易に認識することができる。
また、ロッカー装置１の使用者に変更があった場合にも、適宜にフック付きフレーム２０の高さの配置を変更することにより、ロッカー装置１の使用者にとって自らのロッカーを容易に認識できるロッカー装置１を提供できる。
【００３８】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【符号の説明】
【００３９】
１  ロッカー装置
１０  収容室（ロッカー本体内）
１１  仕切板
１３  収容スペース（ロッカー本体内）
１６  ダボ穴
１６ａ  ダボ
２０  フック付きフレーム（中間部材）
２１  側部材
２４  第１のフック（引っ掛け具）
２５  ポール
２７  第２のフック（引っ掛け具）
３０  先端部材
３１  ダボ受け溝
３６  レール部
４０  プレート
【図１】
2019041866.tif 000003
【図２】
2019041866.tif 000004
【図３】
2019041866.tif 000005
【図４】
2019041866.tif 000006
【図５】
2019041866.tif 000007
【図６】
2019041866.tif 000008